(57)【要約】      （修正有）【課題】安全で超低価格の電動引き戸を提供する。【解決手段】全長に下溝を切削したレールパイプＪの内径内に配置して長尺枠組Ｔをぶら下げし、左板部分に付けた左紐ＨＨを外輪溝付きリングＧＲに架け下げて角管内のパイプ重しＰＫを吊り下げし、右板部分に付けた右紐ＨＭを蓋に付けた外輪溝付きリングに架け下げて棒重しを吊り下げし、棒重しより天秤状態のパイプ重しＰＫの重い力で引き戸を常に閉め、角管の上端に固定する電磁ブレーキ付きギヤモータＭの動力紐ＨＤをパイプ重しＰＫの内径内に下げて上下させる事で開閉操作し、長尺枠組みＴの上辺に付けるボタンＢとレールパイプ内の固定する板片に固定する各ボタンとを連結紐Ｒで連結連動させ、それらの各ボタンにカーテン生地ＫＨＴのボタン穴を掛けたカーテン式電動引き戸。【選択図】図５
2018192092.tif 000002
【特許請求の範囲】
【請求項１】
入口の左側に角管柱を右側には不等辺角管柱を直立固定し、それらの柱双方に天井より少し下の位置で角穴を開け、その角穴内それぞれに蓋に固着させた外輪枠を入れて角穴を蓋で塞ぎ、それらの蓋の上部に固定するアングル部品にレールパイプの両端部を固定し、平角棒で構成する長尺枠組みの縦両辺を上辺より上に出し、出した上板部分2箇所をレールパイプの全長に切削した下溝に差し入れて内径内で互いに向き合う方向に直角に曲げ、曲げた上板部分をオイレスベアリングの内径内に貫通させて少しはみ出させ、はみ出した上板部分と上板部分とに両端部分それぞれに切削した下溝を有する位置止めパイプの下溝を嵌めてオイレスベアリングを左上板部分と右上板部分とに固定して長尺枠組みをレールパイプにぶら下げ、他方で複数個のオイレスベアリングの内径内に入れて両端を挟み下げる各コの字型板の両端板部分それぞれはレールパイプの下溝を下がり、下げた両端板部分を2枚の板片で挟んで固定し、挟んだ各2枚重ねの各板片に表ボタンと裏ボタンとを固定し、さらに長尺枠組みの各辺にも表ボタンと裏ボタンとを複数個取り付けし、各ボタンそれぞれにカーテン生地それぞれのボタン穴を掛けて2枚重ねのカーテン引き戸にし、そして左上板部分に開けた紐穴に付ける左紐は角管内の外輪枠内の外輪溝付きリングに架け下げて重しパイプを吊り下げし右上板部分に開けた紐穴に付けた右紐は各コの字型板に固定するオイレスベアリングの内径心を通過し不等辺角管内の外輪枠内に固定する外輪溝付きリングに架け下げて重し棒を吊り下げし、天秤状態で引き合う重しパイプを重し棒よりWｋｇ重くし、そのWｋｇの力がカーテン引き戸を閉めた状態にし、角管の上端に固定する電磁ブレーキ付きギャモータの回転ドラムに巻く動力紐は重しパイプの内径内を下がって動力重しを吊り下げし、その動力紐を巻き上げる事で動力重しと重しパイプとは上がり、重しパイプが上がる事で下がる重し棒に付けた右紐は長尺枠組みと各コの字型板とを右側に引き寄せ並べて入口は開き、それは重しパイプの上端が位置決めスイッチに当って電磁停止する位置状態であり、さらに電磁ブレーキ解除スイッチを押す事で動力重しと重しパイプとは落下し重量差Wｋｇの力が長尺枠組み上辺の表ボタンに架けた連結紐Rでつながる各板片に付けた表ボタンを左方向に引き広げてカーテン引き戸が閉まるようにした手でも開閉できるカーテン式電動引き戸。
【発明の詳細な説明】
【技術分野】
【０００１】
軽量にする事で安全と超低価格とが得られるカーテン式電動引き戸。
【背景技術】
【０００２】
車椅子の出入りが容易で入口幅が広い便所の引き戸を超低価格で販売される事が希望された。
【先行技術文献】
【特許文献】
【０００３】
【特許文献１】特開200006−348602
【発明の概要】
【発明が解決しようとする課題】
【０００４】
国内の被介護者の多くは高齢で収入が小額でギリギリの生活をしており市販されている高額の電動引き戸は多くの被介護者には購入対象にならない、在宅する被介護者が自分で自分を介護できる介護ルームを設計する場合、超低価格で多種機能の介護製品を多く生み出す事が要望されている。
【課題を解決するための手段】
【０００５】
上記目的を達成するために本発明に係るカーテン式電動引き戸を説明する、図1のように入口の左側に角管柱を右側には不等辺角管柱を直立固定し、それら角管柱と不等辺角管柱との双方に天井の少し下の位置で角穴を開け、それら角穴内に図7のような蓋に固着させた外輪枠を嵌め入れて蓋で角穴を塞いで固定した。
【０００６】
図5と図6のように蓋の上部分に固定するアングル部品にレールパイプの両端部に固着させた両端板をネジ固定した。
【０００７】
水平に固定させたレールパイプの全長に下溝を切削し、平角棒で構成する長尺枠組みの縦の左右両辺を上辺より上に出し、出した上板部分2箇所を下溝に差し入れてレールパイプの内径内で互いに向き合う方向に直角に曲げ、曲げた上板部分それぞれをオイレスベアリングの内径内に貫通させて少しはみ出させ、はみ出た2箇所の上板部分Eと上板部分Eとに両端部分それぞれに少しの下溝ECを切削した位置止めパイプの下溝ECを嵌め入れる事でレールパイプの内径内を密接にスライドできる2個のオイレスベアリングを曲げた上板部分それぞれに固定させ長尺枠組みをレールパイプにぶら下げた。
【０００８】
複数個のオイレスベアリングの内径内に嵌め入れて両端を挟み下がる各コの字型板の下げた両端板部分それぞれはレールパイプの下溝を下がり、その下げた両端板部分を図6のように2枚の板片で挟んでビスネジで固定し、挟んだ各２枚重ねの各板片に表ボタンと裏ボタンとを固定し、さらに長尺枠組みの各辺にも表ボタンと裏ボタンとを複数個取り付けし、それらの各ボタンそれぞれにカーテン生地の各ボタン穴を掛けて表裏2枚重ねのカーテン引き戸にした。
【０００９】
長尺枠組みの左上板部分に開けた紐穴に付ける左紐は角管内の外輪枠内の外輪溝付きリングに架け下げて重しパイプを吊り下げし、右上板部分に開けた紐穴に付ける右紐は各コの字型板それぞれに固定する各オイレスベアリングの内径心を通過し、その右紐は不等辺角管内に固定する外輪枠内の外輪溝付きリングに架け下げて重し棒を吊り下げし、重しパイプの重さを天秤状態で引き合う重し棒よりWｋｇ重くし、Wｋｇの重さの力がカーテン引き戸を常に閉めた状態にする。
【００１０】
角管の上端に固定する電磁ブレーキ付き小型ギヤモータの回転ドラムに巻く動力紐は重しパイプの内径内を下がって動力重しを吊り下げし、その動力紐が巻き上がる事で動力重しと重しパイプとは上がり、重しパイプが上がる事で下がる重し棒に付けた右紐は長尺枠組みと各コの字型板とを右端に引き寄せ並べて入口が開き、それは重しパイプの上端が位置決めスイッチに当って電磁停止する位置状態になり、そして電磁ブレーキ解除スイッチを押す事で動力重しと重しパイプとは落下し重量差Wｋｇの力が長尺枠組み上辺の表ボタンと連結紐でつながる各板片に付けた各表ボタンとを左方向に引き広げてカーテン引き戸が閉まるようにした手でも開閉できるカーテン式電動引き戸。
【発明の効果】
【００１１】
引き戸を軽くする事で手などに当る衝撃を弱くし、さらに超低価格で購入可能にし、ボタンに付けたカーテンを外す事で引き戸のカーテンの洗濯を可能にし、さらにカーテンの色模様は選べる。
【図面の簡単な説明】
【００１２】
【図１】便所の平面配置図。
【図２】カーテンを外してカーテン引き戸を開けた状態の正面図。
【図３】カーテンを取り付けてカーテン引き戸を開けた状態の正面図。
【図４】カーテンを外してカーテン引き戸を閉めた状態の正面図。
【図５】角管柱内の構成と長尺枠組み上端の取り付け状態との断面図。
【図６】不等辺角管内の構成とオイレスベアリングを固定するコの字型板との状態図。
【図７】外輪枠を固着させた角板蓋の断面図。
【発明を実施するための形態】
【００１３】
本発明の一実施形態の手でも開閉できるカーテン式電動引き戸を説明する、図1のように便所の入口の左側に位置する間柱HBに角管柱Aを沿わせて固定し、右側に位置する間柱HBには不等辺角管柱Qを沿わせて固定し、それら角管柱Aと不等辺角管柱Qとに天井Lの少し下の位置で角穴QAを開け、その角穴QA内に図7のような蓋Fに固着させた外輪枠GWを嵌め入れて蓋Fで角管柱Aと不等辺角管柱Qとの角穴を塞ぎネジ固定した。
【００１４】
図5と図6のように蓋Fの上部分にアングル部品ANの一辺を固定し、その固定した一辺を角管柱Aと不等辺角管柱Qとのそれぞれにネジ固定し、そのアングル部品ANで他の一辺にレールパイプJの両端部に固着させた両端板JTを固定した。
【００１５】
水平に固定させたレールパイプJの全長に下溝JMを切削し、平角棒で構成する長尺枠組みTの縦の両辺それぞれを上辺TUより上に出し、出した上板部分Z2箇所を下溝JMに差し入れてレールパイプJの内径内で互いに向き合う方向に直角に曲げ、曲げた上板部分ZそれぞれをオイレスベアリングBEの内径内に貫通させてはみ出Eし、はみ出たE2箇所それぞれに両端部分に下溝ECを切削した位置止めパイプCの下溝ECを嵌め入れる事でレールパイプJの内径内を密接にスライドできる2個のオイレスベアリングBEを曲げた上板部分Zそれぞれに固定させ長尺枠組みをレールパイプJにぶら下げた。
【００１６】
レールパイプJの内径内に密接にスライドさせる複数個のオイレスベアリングBEの内径内に嵌め入れて挟み下げるコの字型板Kの挟み下げた板部分はオイレスベアリングBEを挟んだ状態でレールパイプJの下溝JMを下がり、その下げた板部分を図6のように2枚の板片KHで挟んでビスネジで固定し、廊下側に面する板片KHには表ボタンBを固定し便所側に面する板片KHには裏ボタンBUを固定し、さらに長尺枠組みを構成する各辺にも表ボタンBと裏ボタンBUとを複数個固定し、それら各ボタンそれぞれにカーテン生地の各ボタン穴を掛けて表裏2枚重ねのカーテン引き戸にした。
【００１７】
上板部分Z2箇所それぞれに紐穴を開け、左側の紐穴に取り付ける左紐HHは蓋Fに固着させた外輪枠GW内の外輪溝付きリングGRに架け下げて角管A内の重しパイプPKを吊り下げし、右側の紐穴に取り付ける右紐HMは各コの字型板Kそれぞれに固定するオイレスベアリングBEの内径心を通過し、通過させた右紐HMは不等辺角管Qに固定する蓋Fに固着させた外輪枠GW内の外輪溝付きリングGRに架け下げて不等辺角管Q内の重し棒BKを吊り下げし、その重しパイプPKの重さを天秤状態で引き合う重し棒BKよりWｋｇ重くし、そのWｋｇの重さがカーテン引き戸を常に閉めた状態にする。
【００１８】
天井裏内に位置し角管Aの上端部に固定する電磁ブレーキ付きギヤモータMの出力軸MSに回転ドラムを固定し、その回転ドラムMDに巻く動力紐HDは重しパイプPKの内径内を下がって動力重しMKを吊り下げし、その回転ドラムMDが回り動力紐HDが巻き上がる事で動力重しMKは重しパイプPKと共に巻き上がり、その重しパイプPKが上がる事で天秤状態の重し棒BKに付けた右紐HMは長尺枠組みの右上板部分Zを右方向に引き寄せ右上板部分Zは各コの字型板Kを右方向に当り寄せ並んで便所の入口は開き、それは重しパイプPKの上端が位置決めスイッチSに当って電磁停止し重しパイプPKが高所で停止する位置状態であり、そして電磁ブレーキ付きギヤモータMの電磁ブレーキ解除スイッチを押す事で動力重しMKと重しパイプPKとは落下し重量差Wｋｇの力が左紐HHを左方向に引き長尺枠組みの左上板部分Zを左方向に引き寄せ長尺枠組み上辺の表ボタンBと各コの字型板Kの板片KHに付けた表ボタンBとをつなぐ連結紐Rで左方向に引き広がりカーテン引き戸が閉まるようにした手でも開閉できるカーテン式電動引き戸。
【符号の説明】
【００１９】
H      柱
HB    間柱
DB    便器
D      車椅子
KHT    カーテン生地
A      角管
Q      不等辺角管
DK    カーテン引き戸の開閉幅
N      不等辺角管に固定するボタン取り付け用アングル
L      天井板
Y      床板
T      長尺枠組み
TC    長尺枠組みの下辺
TN    長尺枠組みの中辺
TU    長尺枠組みの上辺
B      表ボタン
BU    裏ボタン
R      連結紐
J      レールパイプ
JM    レールパイプの全長に切削した下溝
KHT  カーテン生地
TT    取手
M      電磁ブレーキ付きギヤモータ
MS    出力軸
MD    回転ドラム
HD    動力紐
MK    動力重し
PK    重しパイプ
BK    重し棒
HH    左紐
HM    右紐
GW    外輪枠
GR    外輪溝付きリング
F      蓋
AN    アングル部品
Z      長尺枠組みの縦の左右両辺を上辺より上に伸ばし直角に曲げた上板部分
BE    オイレスベアリング
E      直角に曲げた上板部分でオイレスベアリングの内径を突き出た上板部分
C      位置止めパイプ
EC    位置止めパイプの両端それぞれに少し切り入れた下溝
JT    レールパイプの両端部それぞれの上に固着させた両端板
GWB  外輪溝付きリングの心ボルト
BER  心ボルトのオイレスベアリング
FA    角板蓋に開けた紐穴
QA    角管と不等辺角管に開けた角穴
【図１】
2018192092.tif 000003
【図２】
2018192092.tif 000004
【図３】
2018192092.tif 000005
【図４】
2018192092.tif 000006
【図５】
2018192092.tif 000007
【図６】
2018192092.tif 000008
【図７】
2018192092.tif 000009